【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、
遊技にて獲得された遊技媒体を計数する計数手段と、
前記計数手段にて計数された遊技媒体の数である計数遊技媒体数の範囲内の遊技媒体を前記遊技機に払出すための処理を行う払出処理手段と、
一般用記録媒体、または会員登録した会員に発行された会員用記録媒体を受付ける受付手段と、
前記計数遊技媒体数を、前記一般用記録媒体、または前記会員用記録媒体により特定可能とするための特定化処理を行う特定化処理手段と、
前記受付手段に受け付けられている前記一般用記録媒体、または前記会員用記録媒体を排出する処理を行う排出処理手段と、
新たな一般用記録媒体を前記受付手段に供給可能に格納する格納手段と、
計数遊技媒体数を管理する管理装置との通信を行う通信手段と、
前記管理装置との通信状態を判定する判定手段と、
を備える遊技用装置であって、
前記特定化処理手段は、前記特定化処理として、
前記受付手段において前記一般用記録媒体が受付けられている場合は、前記判定手段による通信状態の判定に関わらず、当該一般用記録媒体に前記計数遊技媒体数を記録させる一般特定化処理を行い、
前記受付手段において前記会員用記録媒体が受付けられており、前記判定手段により通信可能と判定されている場合は、前記管理装置に対して当該会員用記録媒体から読み出した識別情報と前記計数遊技媒体数とを送信する通信可能時会員特定化処理を行い、
前記受付手段において前記会員用記録媒体が受付けられており前記判定手段により通信不能と判定されている場合は、受付けている会員用記録媒体を前記排出処理手段によって排出させ、前記格納手段に格納されていた新たな一般用記録媒体に前記計数遊技媒体数を記録させる通信不能時会員特定化処理を行い、
前記遊技用装置は、さらに、
所定の操作が実行されることに応じて無効要求を受信する無効要求受信手段と、
該無効要求受信手段にて前記無効要求を受信したことに基づいて、前記一般用記録媒体を受付けていた場合に、前記計数遊技媒体数を無効とするための無効化処理を行う無効化処理手段と、
前記無効化処理手段により前記無効化処理が行われた際に、前記一般用記録媒体の前記計数遊技媒体数について無効化の旨と当該一般用記録媒体を識別する一般用記録媒体識別情報とを含む無効化情報を前記管理装置に送信する無効化情報送信手段と、を備えることを特徴とする遊技用装置。
【手続補正２】
【補正対象書類名】明細書
【補正対象項目名】発明の名称
【補正方法】変更
【補正の内容】
【発明の名称】遊技用装置
【手続補正３】
【補正対象書類名】明細書
【補正対象項目名】０００１
【補正方法】変更
【補正の内容】
【０００１】
本発明は、遊技機に１対１に対応して設けられ、遊技媒体を計数し、計数遊技媒体数の範囲内の遊技媒体を払出すための処理を行い、一般用記録媒体または会員用記録媒体を受付け、前記計数遊技媒体数を一般用記録媒体または会員用記録媒体により特定可能とするための特定化処理を行う遊技用装置に関する。
【手続補正４】
【補正対象書類名】明細書
【補正対象項目名】０００９
【補正方法】変更
【補正の内容】
【０００９】
本発明は、このような背景のもとになされたものであり、その目的は、前記第１の問題を解消し、各遊技用装置から排出されたカードを巡回探索して回収する必要や、回収したカードを景品カウンタに設けられたカード処理機に持参して１枚ずつ挿入する必要がなく、営業終了時における作業負荷や作業時間を低減することができると共に、前記第２の問題を解消し、管理手段と通信不能な遊技用装置で計数された計数遊技媒体数を他の遊技用装置に対応する遊技機での遊技に使用することができるような遊技用装置を提供することにある。
【手続補正５】
【補正対象書類名】明細書
【補正対象項目名】００１０
【補正方法】変更
【補正の内容】
【００１０】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
まず請求項１に係る発明は、
遊技機に１対１に対応して設けられ、
遊技にて獲得された遊技媒体を計数する計数手段と、
前記計数手段にて計数された遊技媒体の数である計数遊技媒体数の範囲内の遊技媒体を前記遊技機に払出すための処理を行う払出処理手段と、
一般用記録媒体、または会員登録した会員に発行された会員用記録媒体を受付ける受付手段と、
前記計数遊技媒体数を、前記一般用記録媒体、または前記会員用記録媒体により特定可能とするための特定化処理を行う特定化処理手段と、
前記受付手段に受け付けられている前記一般用記録媒体、または前記会員用記録媒体を排出する処理を行う排出処理手段と、
新たな一般用記録媒体を前記受付手段に供給可能に格納する格納手段と、
計数遊技媒体数を管理する管理装置との通信を行う通信手段と、
前記管理装置との通信状態を判定する判定手段と、
を備える遊技用装置であって、
前記特定化処理手段は、前記特定化処理として、
前記受付手段において前記一般用記録媒体が受付けられている場合は、前記判定手段による通信状態の判定に関わらず、当該一般用記録媒体に前記計数遊技媒体数を記録させる一般特定化処理を行い、
前記受付手段において前記会員用記録媒体が受付けられており、前記判定手段により通信可能と判定されている場合は、前記管理装置に対して当該会員用記録媒体から読み出した識別情報と前記計数遊技媒体数とを送信する通信可能時会員特定化処理を行い、
前記受付手段において前記会員用記録媒体が受付けられており前記判定手段により通信不能と判定されている場合は、受付けている会員用記録媒体を前記排出処理手段によって排出させ、前記格納手段に格納されていた新たな一般用記録媒体に前記計数遊技媒体数を記録させる通信不能時会員特定化処理を行い、
前記遊技用装置は、さらに、
所定の操作が実行されることに応じて無効要求を受信する無効要求受信手段と、
該無効要求受信手段にて前記無効要求を受信したことに基づいて、前記一般用記録媒体を受付けていた場合に、前記計数遊技媒体数を無効とするための無効化処理を行う無効化処理手段と、
前記無効化処理手段により前記無効化処理が行われた際に、前記一般用記録媒体の前記計数遊技媒体数について無効化の旨と当該一般用記録媒体を識別する一般用記録媒体識別情報とを含む無効化情報を前記管理装置に送信する無効化情報送信手段と、を備えることを特徴とする遊技用装置である。
この請求項１に係る遊技用装置によれば、無効要求を受信するのみで、計数記録媒体に記録されている計数遊技媒体数が無効とされるようになるので、遊技用装置から排出されたカードを巡回探索して回収する必要や、回収したカードをカード処理機に持参して１枚ずつ挿入する必要がなく、営業終了時における作業負荷や作業時間を低減することができる。また会員用記録媒体が受付けられており管理装置と通信不能と判定されている場合は、受付けている会員用記録媒体を排出させ、新たな一般用記録媒体に計数遊技媒体数を記録させて排出させるので、該一般用記録媒体が他の遊技用装置で受け付けられることで、当該一般用記録媒体に記録された計数遊技媒体数を当該他の遊技用装置に対応する遊技機での遊技に使用することができるので、会員遊技者が損害を被ることを解消することができる。
【手続補正６】
【補正対象書類名】明細書
【補正対象項目名】００１１
【補正方法】変更
【補正の内容】
【００１１】
また本願は、以下の発明も含む。
まず手段１に係る発明は、
遊技機（パチンコ機１０）に対応して設けられる遊技用装置（各台計数ユニット５０）と、該遊技用装置と通信可能であり、遊技者が獲得した獲得遊技媒体数（持玉数，貯玉数）を、会員用記録媒体（会員カード２）に記録される各会員を個々に識別可能な会員識別情報（カードＩＤ）に対応付けて管理する管理手段（獲得玉数管理装置６１）と、を備える遊技用システム（１）であって、
前記遊技用装置は、
遊技者が獲得した遊技媒体（パチンコ玉）を計数する計数手段（玉カウンタ３５）と、
該計数手段が計数した計数遊技媒体数（計数玉数）を記憶する計数記憶手段（カードテーブル）と、
該計数情報記憶手段が記憶している計数遊技媒体数の範囲内で遊技媒体を払い出すための払出処理（Ｓａ１４の払出処理）を行う払出処理手段（玉貸発券制御部２２）と、
前記計数手段が計数した遊技媒体数を前記計数記憶手段が記憶している計数遊技媒体数に加算更新する（Ｓ１２４）と共に、前記払出処理により払い出した遊技媒体数を前記計数記憶手段が記憶している計数遊技媒体数から減算更新する（Ｓｅ１６，Ｓｆ１４）遊技用装置側更新手段（玉貸発券制御部２２）と、
前記会員用記録媒体の会員識別情報を受け付ける会員識別情報受付手段（カードＲ／Ｗ２３）と、
前記会員識別情報の受付中に終了操作（カード返却ボタン１６の操作）を受け付けたこと（Ｓａ０７でＹＥＳ）に基づいて、前記計数記憶手段が記憶している計数遊技媒体数を当該会員識別情報に対応付けて前記管理手段が管理している獲得遊技媒体数に加算更新させるための更新要求（会員カード返却通知）を前記管理手段に対して送信する（Ｓｋ０１）と共に、当該会員識別情報の受付状態を解除する（Ｓｋ１０）会員受付中終了処理手段（玉貸発券制御部２２）と、
前記会員識別情報の非受付中に終了操作を受け付けたことに基づいて、前記計数記憶手段が記憶している計数遊技媒体数を（持玉数として）記録した計数記録媒体（ビジタカード３）を排出する排出処理（Ｓｊ１８）を行う会員非受付中終了処理手段と、
前記計数記録媒体を受け付ける計数記録媒体受付手段（カードＲ／Ｗ２３）と、
該計数記録媒体受付手段が受け付けた計数記録媒体に記録されている計数遊技媒体数を前記計数記憶手段が記憶している計数遊技媒体数に加算更新する（Ｓｂ１３）計数記録媒体受付時更新手段（玉貸発券制御部２２）と、
前記管理手段と通信可能であるか不能であるかを判定する（Ｓｋ０３）通信判定手段（玉貸発券制御部２２）と、を有し、
前記管理手段は、前記更新要求の受信に基づいて、前記計数遊技媒体数を前記会員識別情報に対応付けて管理している獲得遊技媒体数に加算更新する（ＳＬ０１）管理手段側更新手段を有し、
前記会員受付中終了処理手段は、前記会員識別情報の受付中に終了操作を受け付けたことに基づいて、前記通信判定手段が通信不能と判定していること（Ｓｋ０３でＹＥＳ）を条件として、当該会員識別情報の受付状態を解除する（Ｓｋ２５）と共に前記排出処理（Ｓｋ２７）を行う通信不能時排出処理を行い、
前記遊技用装置は、
前記管理手段から営業終了に際して送信される営業終了時処理要求（締め処理信号）を受信する通信手段（場内通信部２１ｂ，玉貸発券制御部２２）と、
該営業終了時処理要求を受信したこと（Ｓｎ０１でＹＥＳ）に基づいて、前記計数記憶手段が記憶している計数遊技媒体数が有ること（Ｓｎ２１でＹＥＳ）を条件として、前記排出処理を行うことなく、該計数遊技媒体数を無効とするための無効化処理（Ｓｎ２２）を行う無効化処理手段（玉貸発券制御部２２）と、をさらに有することを特徴とする遊技用システムである。
この手段１に係る遊技用システムによれば、営業終了に際して管理手段から営業終了時処理要求を送信するのみで、計数手段が計数して記憶している計数遊技媒体数が記録された計数記録媒体を排出することなく、該計数遊技媒体数が無効とされるので、遊技用装置から排出されたカードを巡回探索して回収する必要や、回収したカードをカード処理機に持参して１枚ずつ挿入する必要がなく、営業終了時における作業負荷や作業時間を低減することができる。また会員識別情報の受付中に終了操作を受け付けた場合に、遊技用装置と管理手段とが通信不能であれば、会員識別情報の受付状態を解除すると共に計数遊技媒体数が記録された計数記録媒体を排出するので、該計数記録媒体が他の遊技用装置で受け付けられることで、当該計数記録媒体に記録された計数遊技媒体数を当該他の遊技用装置に対応する遊技機での遊技に使用することができる。
【手続補正７】
【補正対象書類名】明細書
【補正対象項目名】００１２
【補正方法】変更
【補正の内容】
【００１２】
また手段２に係る発明は、
手段１に記載した遊技用システム（１）であって、
前記遊技用装置（各台計数ユニット５０）は、前記計数記録媒体受付手段（カードＲ／Ｗ２３）が受け付けている計数記録媒体（ビジタカード３）に記録されている計数遊技媒体数（持玉数）が存在するか否かを判定する（Ｓｎ１１）判定手段（玉貸発券制御部２２）と、
前記計数記録媒体を貯留する貯留手段（カードストッカ２３ｂ）と、をさらに有し、
前記無効化処理手段（玉貸発券制御部２２）は、前記判定手段により計数遊技媒体数が存在すると判定されたこと（Ｓｎ１１でＹＥＳ）を条件として、当該計数遊技媒体数を無効化する記録無効化処理（Ｓｎ１２）を含む前記無効化処理を行って、前記計数遊技媒体数を前記貯留手段に貯留させる（Ｓｎ１５）ことを特徴とする遊技用システムである。
この手段２に係る遊技用システムによれば、受付中の計数記録媒体に記録されている計数遊技媒体数が存在している場合にも、該計数遊技媒体数が無効化されて計数記録媒体が貯留されるので、計数遊技媒体数が無効化されずに排出された計数記録媒体を回収してカード処理機で該計数遊技媒体数を無効化する手間や、該計数遊技媒体数を無効化した計数記録媒体を再び遊技用装置に補充する手間を解消することができる。
【手続補正８】
【補正対象書類名】明細書
【補正対象項目名】００１３
【補正方法】変更
【補正の内容】
【００１３】
また手段３に係る発明は、
手段１又は２に記載した遊技用システム（１）であって、
前記計数記録媒体（ビジタカード３）には、遊技に使用可能な遊技用価値の大きさ（プリペイド残額）を特定可能な遊技用価値特定情報（カードＩＤ，プリペイド残額）が記録され、
前記遊技用装置（各台計数ユニット５０）は、
前記計数記録媒体受付手段（カードＲ／Ｗ２３）が受け付けている計数記録媒体の遊技用価値特定情報から特定される遊技用価値の大きさを前記対応する遊技機（パチンコ機１０）での遊技に使用させると共に該使用された遊技用価値の大きさを減算更新するための使用処理（Ｓａ１２の玉貸処理）を行う使用処理手段（玉貸発券制御部２２）をさらに有し、
前記無効化処理手段は、前記無効化処理（Ｓｎ２２）により前記計数遊技媒体数を無効化した前記計数記録媒体の遊技用価値特定情報から特定される遊技用価値の大きさが有ること（Ｓｎ１４でＹＥＳ）を条件として、該計数記録媒体を前記計数記録媒体受付手段から排出させる（Ｓｎ１５）ことを特徴とする遊技用システムである。
この手段３に係る遊技用システムによれば、計数遊技媒体数を無効化した計数記録媒体に遊技用価値が存在すれば、遊技用価値は無効とされることなく該計数記録媒体が排出され、該計数記録媒体の所有者は、排出された該計数記録媒体の返却を受けて遊技用価値を遊技に使用できるので、遊技用価値について遊技者が不利益を被ることがないばかりか、所有者に返却する必要がある遊技用価値が存在する計数記録媒体が自動的に判別されて排出されるので、遊技用価値が存在する計数記録媒体の回収を簡便に実施することができる。
【手続補正９】
【補正対象書類名】明細書
【補正対象項目名】００１４
【補正方法】変更
【補正の内容】
【００１４】
また手段４に係る発明は、
手段１〜３のいずれか１つに記載した遊技用システム（１）であって、
前記遊技用装置（各台計数ユニット５０）は、前記無効化処理（Ｓｎ２２）により無効化した計数遊技媒体数（計数玉数）を特定可能な無効化情報を前記管理手段（獲得玉数管理装置６１）に対して送信する（Ｓｎ２３）無効化情報送信手段（場内通信部２１ｂ，玉貸発券制御部２２）をさらに有することを特徴とする遊技用システムである。
この手段４に係る遊技用システムによれば、管理手段において、個々の遊技用装置にて無効化された計数遊技媒体数を把握できるとともに、個々の遊技用装置にて無効化された計数遊技媒体数を集計することで、無効化された計数遊技媒体数の総数を正確且つ簡便に把握することができる。
【手続補正１０】
【補正対象書類名】明細書
【補正対象項目名】００１５
【補正方法】変更
【補正の内容】
【００１５】
また手段５に係る発明は、
手段１〜４のいずれか１つに記載した遊技用システム（１）であって、
前記会員受付中終了処理手段（玉貸発券制御部２２）は、前記通信不能時排出処理において、前記遊技用装置側更新手段（玉貸発券制御部２２）により更新された計数遊技媒体数（計数玉数）が前記管理手段側更新手段により前記獲得遊技媒体数（持玉数）に加算更新されているか否かを確認して補正するための更新確認補正情報（リカバリ情報＝取引通番＋更新不明計数玉数）を前記会員用記録媒体（会員カード２）に記録し、
前記会員識別情報受付手段（カードＲ／Ｗ２３）は、前記更新確認補正情報が記録された会員用記録媒体から前記会員識別情報（カードＩＤ）と該更新確認補正情報とを受け付け、
前記遊技用装置（各台計数ユニット５０）は、該会員識別情報受付手段により受け付けた会員識別情報と更新確認補正情報とを前記管理手段に対して送信する（Ｓｂ０９）更新確認補正情報送信手段（場内通信部２１ｂ，玉貸発券制御部２２）をさらに有し、
前記管理手段側更新手段は、前記更新確認補正情報送信手段から送信されてきた更新確認補正情報に従って、該送信されてきた会員識別情報に対応付けて管理している獲得遊技媒体数を補正する（Ｓｃ２７）ことを特徴とする遊技用システムである。
この手段５に係る遊技用システムによれば、管理手段と通信不能でない遊技用装置において、更新確認補正情報が記録された会員用記録媒体から会員識別情報と該更新確認補正情報とが受け付けられることで、該会員識別情報に対応付けて管理している獲得遊技媒体数が補正されるので、通信不能になった遊技用装置が通信可能となるのを待たずに、管理手段での獲得遊技媒体数の適正な管理ができる。
【手続補正１１】
【補正対象書類名】明細書
【補正対象項目名】００１６
【補正方法】変更
【補正の内容】
【００１６】
さらに手段６に係る発明は、
手段１〜５のいずれか１つに記載した遊技用システム（１）であって、
前記管理手段（獲得玉数管理装置６１）は、前記管理手段側更新手段による前記獲得遊技媒体数（持玉数）の更新が不能であること（ＳＬ０２でＮＯ）に基づいて、更新不能情報（更新ＮＧのカード更新結果）を前記遊技用装置（各台計数ユニット５０）に対して送信する更新不能情報送信手段をさらに有し、
前記通信手段（場内通信部２１ｂ，玉貸発券制御部２２）は、前記更新不能情報を受信し（Ｓｋ０４）、
前記遊技用装置は、前記更新不能情報の受信（Ｓｋ０４でＮＯ）に基づいて、前記通信判定手段により通信不能（オフライン状態）と判定される不通状態に移行させて（Ｓｋ０６）前記排出処理を行う（Ｓｋ２７）不通状態処理手段（玉貸発券制御部２２）をさらに有することを特徴とする遊技用システムである。
この手段６に係る遊技用システムによれば、管理手段で獲得遊技媒体数の更新が不能である場合には、更新不能情報が遊技用装置に送信され、該更新不能情報を受信した遊技用装置が、管理手段と通信不能な不通状態に移行させて、終了操作受付時に通信不能である場合と同様に、計数遊技媒体数を記録した計数記録媒体を排出するので、管理手段で獲得遊技媒体数の更新が不能である場合に対応する特別な処理を予め用意しておくことなく、遊技者に対して計数遊技媒体数を保障することができる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】